(57)【特許請求の範囲】
【請求項１】
金属製の棒状本体部に、合成樹脂製の把手を設けた、充填材を詰めるのに用いられる歯科用根管治療器具であって、
前記本体部は、使用時に根管内に挿入される先細のテーパー形状をした作業部と、該作業部の太径側の端部に連設し、前記把手の中に埋設される結合部と、を有し、前記作業部と結合部とが、一台の機械により同じ加工方法で形成されていることを特徴とする歯科用根管治療器具。
【請求項２】
前記結合部が、少なくとも一つの凹部及び／又は凸部を有することを特徴とする請求項１に記載の歯科用根管治療器具。
【請求項３】
前記結合部が、互いに交差する複数の螺旋溝を有することを特徴とする請求項１に記載の歯科用根管治療器具。
【請求項４】
前記結合部が、互いに逆方向の複数の捻り部を有することを特徴とする請求項1に記載の歯科用根管治療器具。
【請求項５】
前記本体部に設けられた前記作業部及び前記結合部は、同一の中心軸回りに一体的に形成されていることを特徴とする請求項１に記載の歯科用根管治療器具。
【請求項６】
金属製の棒状本体部に、合成樹脂製の把手を設けた、充填材を詰めるのに用いられる歯科用根管治療器具の製造方法であって、
前記本体部に設けられる、使用時に根管内に挿入される先細のテーパー形状をした作業部と、該作業部の太径側の端部に連設し前記把手の中に埋設される結合部と、を一台の機械により同じ加工方法で形成する工程と、
前記結合部を覆って合成樹脂を射出し、前記把手を設ける工程と、
を有することを特徴とする歯科用根管治療器具の製造方法。
【発明の詳細な説明】
【技術分野】
【０００１】
本発明は、歯の根管治療において、根管の内壁を削ったり、充填材を詰めたりする際に用いられる歯科用根管治療器具及びその製造方法に関するものである。
【背景技術】
【０００２】
歯の根管治療とは、リーマやファイルという根管治療器具で、細菌に感染した歯質や神経を除去し、歯の根の病気を治療するものである。
【０００３】
図４に従来のハンドタイプの歯科用根管治療器具（リーマ）の斜視図を示す。リーマ２０は、金属製の本体部２１と合成樹脂製の把手２２を有しており、本体部２１の先端側の作業部２１ａが切削具になっている。そして、施術者が把手２２を摘んで作業部２１ａを先端から根管内に挿入し、回転させたり、押し引きしたりすることによって、内壁を削って根管を拡大する。ここで、リーマ２０のような根管治療器具では、使用時に回転させることがあるので、本体部２１と把手２２との結合は、ガタついたり、回転時に空回りするようなものであってはならない。
【０００４】
図５は、従来のハンドタイプの歯科用根管治療器具の結合部の断面図である。特許文献１（特開平５−１４６４５５号公報）や特許文献２（特開平９−１５４８５３号公報）に記載されている従来のハンドタイプの根管治療器具では、本体部２１の把手２２に埋設される部分に、基端部を折り曲げて形成した折曲部２１ｂや、基端の一部をプレスで押しつぶして形成した拡幅部２１ｃを設けている。そして、形成した折曲部２１ｂや拡幅部２１ｃを覆って把手２２を射出成形するので、回転や引抜きに対して強固に一体化できるようになっている。なお、一般的には、折曲部２１ｂと拡幅部２１ｃのどちらか一方だけを形成することが多く、本体部２１の径が細い場合には折曲部２１ｂを形成し、本体部２１の径が太い場合には拡幅部２１ｃを形成することが多い。
【０００５】
ここで、特許文献１及び特許文献２に記載されているような折曲部２１ｂや拡幅部２１ｃの形成は、その形状から、作業部２１ａの形成とは別工程で行う必要がある。つまり、リーマ２０等の本体部２１の製造は、作業部２１ａを形成する工程と、折曲部２１ｂや拡幅部２１ｃを形成する工程とは、全く別の機械を使って異なった加工方法で行われることになる。
【０００６】
このように別の機械を使い、異なる加工方法で作業を行うため、それぞれの作業の間に一旦機械から取り外し、別の場所に搬送する必要が生じ、工程、時間が増えて、生産コストが上昇する原因となっていた。
【０００７】
また一方で、リーマやファイルと同様に金属製の棒状本体部と合成樹脂製の把手を有する構造の器具で、スプレッダーやプラガーという歯科用根管治療器具がある。スプレッダーやプラガーは、リーマ等で神経を取り除いた後の根管に細菌などが入るのを防ぐために、ガッタパーチャと呼ばれる根管充填材を加圧充填するのに用いられる。スプレッダーは、作業部の先端が尖っているため根尖付近まで挿入でき、ガッタパーチャの側方加圧充填に適し、プラガーは、作業部の先端が平らであるため、ガッタパーチャの垂直加圧充填に適しているという特徴がある。ここで、スプレッダーやプラガーのような根管治療器具は、リーマ等のように使用時に回転させることがほとんどないため、本体部と把手の結合は、回転に対してはあまり強固にする必要はなく、押し引きや側方に動かすときに、ガタついたり、外れたりしなければ良い。
【先行技術文献】
【特許文献】
【０００８】
【特許文献１】特開平５−１４６４５５号公報
【特許文献２】特開平９−１５４８５３号公報
【発明の概要】
【発明が解決しようとする課題】
【０００９】
本発明は、斯かる実情に鑑み、金属製の棒状本体部について、作業部と結合部を共通した一台の機械を用いて同じ加工方法で形成することで製造を簡略化しつつ、用途に合わせて回転や引抜き等に対して十分な強度を備えた歯科用根管治療器具及びその製造方法を提供しようとするものである。
【課題を解決するための手段】
【００１０】
本発明に係る歯科用根管治療器具は、金属製の棒状本体部に、合成樹脂製の把手を設けた根管治療器具であって、本体部は、使用時に根管内に挿入される先細のテーパー形状をした作業部と、作業部の太径側の端部に連設し、把手の中に埋設される結合部と、を有し、作業部と結合部とが、同じ加工方法で形成されていることを特徴とするものである。
【００１１】
ここで、結合部は、少なくとも一つの凹部及び／又は凸部を有していることにすると良い。また、結合部が、互いに交差する複数の螺旋溝や、互いに逆方向の複数の捻り部を有することにしても良く、本体部に設けられた作業部及び結合部が、同一の中心軸回りに一体的に形成されていることにしても良い。また、凹部及び／又は凸部が、括れ部及び／又は拡径部であることにすることもできる。
【００１２】
本発明に係る歯科用根管治療器具の製造方法としては、金属製の棒状本体部に、合成樹脂製の把手を設けた根管治療器具であって、本体部に設けられる、使用時に根管内に挿入される先細のテーパー形状をした作業部と、作業部の太径側の端部に連設し把手の中に埋設される結合部と、を同じ加工方法で形成する工程と、結合部を覆って合成樹脂を射出し、把手を設ける工程と、を有することを特徴とするものである。
【００１３】
ここで、作業部と結合部とを同じ加工方法で形成する工程が、切削加工、研削加工又は螺旋捻り加工のいずれかで行われることにすることができる。また、作業部と結合部とを同じ加工方法で形成する作業は、連続した作業で行われることが好ましい。この場合、作業部と結合部のどちらを先に形成しても良い。
【発明の効果】
【００１４】
本発明の歯科用根管治療器具及びその製造方法によれば、把手との結合を十分に強固にしつつ、本体部の作業部と結合部を同じ加工方法で加工できるため、製造工程を簡略化して生産コストを低減できるという優れた効果を奏し得る。
【図面の簡単な説明】
【００１５】
【図１】本発明の歯科用根管治療器具を示す図であって、（ａ）は平面図、（ｂ）は断面図である。
【図２】プラガーの使用状況を示す図である。
【図３】本発明の歯科用根管治療器具の実施例を示す図であって、（ａ）は作業部に螺旋状の切刃、結合部に螺旋溝、を施した平面図、（ｂ）は作業部および結合部に捻り加工を施した平面図である。
【図４】従来のハンドタイプの歯科用根管治療器具の斜視図である。
【図５】従来のハンドタイプの歯科用根管治療器具の結合部の断面図である。
【発明を実施するための形態】
【００１６】
以下、本発明の実施の形態を添付図面を参照して説明する。
【００１７】
図１は、本発明の歯科用根管治療器具を示す図であって、（ａ）は平面図、（ｂ）は断面図である。歯科用根管治療器具１０は、金属製の棒状本体部１１と合成樹脂製の把手１２とによって、構成されている。そして、本体部１１は、作業部１１ａと結合部１１ｂを備えている。
【００１８】
作業部１１ａは、使用時に根管内に挿入される先細のテーパー形状をしている。したがって、根管に沿って変形できるように可撓性を有している。なお、図１に示した歯科用根管治療器具１０は、プラガーを例示したものなので、作業部１１ａの先端部は平坦であるが、スプレッダーの場合は先端部が尖っているという違いがある。ただし、本発明においては、スプレッダーとプラガーを区別する必要はなく、いずれでも良い。また、リーマやファイルの場合は、作業部に図４の２１ａのような捻られた切刃や、螺旋状に切削された切刃を有している。
【００１９】
結合部１１ｂは、作業部１１ａの太径側の端部に連設し、把手１２の中に埋設される部分である。結合部１１ｂには、把手１２との結合を強固にするために、少なくとも一つの凹部及び／又は凸部を有している。さらに、凹部及び／又は凸部は、括れ部及び／又は拡径部としても良い。なお、図１（ｂ）の断面図では、括れ部１１ｃを有している図を例示している。また、この部分が逆に拡径部となっていても良い。拡径部であっても、引抜き等に対する抵抗になるからである。なお、拡径部であれば、結合部１１ｂの端部に設けることも可能であるし、括れ部１１ｃや拡径部を複数箇所設けても良い。また、このような括れ部１１ｃ及び／又は拡径部を設けたとき、本体部１１は一つの中心軸上に形成されるので、作業部１１ａと結合部１１ｂは、同一の中心軸回りに形成されることになる。また、凹部及び／又は凸部には、Ｄカット形状を形成しても良く、こうすることで、引き抜き方向に加え、回転方向に対する抵抗も付与することができる。
【００２０】
ここで、括れ部１１ｃ、拡径部及びＤカット等の凹凸部は、旋盤による切削加工で形成することができる。そうすると、作業部１１ａから結合部１１ｂまで、つまり、本体部１１の全部を一台の機械（旋盤）による切削加工によって、一体的に製造することができるので、製造が簡易になり、生産コストが低減できるという利点がある。そして、このようにして形成された結合部１１ｂを覆って合成樹脂を射出し、把手１２を設けることで、製品の形状となる。
【００２１】
図２は、プラガーの使用状況を示す図である。ここでは、歯科用根管治療器具１０としてプラガーを用いて、ガッタパーチャ１３を歯１４の根管１５に垂直加圧充填している様子を図示している。施術者は把手１２を摘み、歯科用根管治療器具１０を垂直方向に動かしてガッタパーチャ１３を根尖方向に押し込むときに、基本的には歯科用根管治療器具１０を回転させることはない。つまり、図１（ｂ）に示すように、凹部及び／又は凸部が括れ部１１ｃ及び／又は拡径部の場合は、結合部１１ｂと把手１２との結合が、回転に対してそれほど強固ではないが、スプレッダーやプラガーのように、使用時に回転させない場合であれば、特に不都合は生じないことになる。
【００２２】
図３は、本発明の歯科用根管治療器具の実施例を示す図であって、（ａ）は作業部１１ａに螺旋状の切刃、結合部１１ｂに螺旋溝、を施した平面図、（ｂ）は作業部１１ａおよび結合部１１ｂに捻り加工を施した平面図である。図３（ａ）のように、結合部１１ｂに設けた凹部及び／又は凸部が、互いに交差する複数の螺旋溝１１ｄで形成されている場合や、図３（ｂ）のように、互いに逆方向の複数の捻り部１１ｅを形成している場合には、引抜きだけでなく、回転に対しても強度を有する。なお、螺旋溝１１ｄは互いに交差し、捻り部１１ｅは互いに逆方向を向いていることから、左右どちらの方向の回転に対しても抵抗することができる。したがって、これらの実施例のような結合部１１ｂであれば、スプレッダーやプラガーだけでなく、リーマやファイルにも適用することが可能である。
【００２３】
ここで、図３（ａ）のように、作業部１１ａの螺旋状の切刃、および結合部１１ｂの螺旋溝１１ｄを設ける場合は、特公昭６１−５０４５５等に記載の機械で、研削加工を行うと良い。この研削加工は共通の機械で連続的に行うものであるが、作業部１１ａと結合部１１ｂのどちらを先に形成しても良い。このように、作業部１１ａの切刃及び結合部１１ｂの螺旋溝１１ｄの加工は、加工方法が同じ研削加工であり、共通した一台の機械を用いて行うことができる。
【００２４】
また、図３（ｂ）のように、作業部１１ａの螺旋状に捻られた切刃、および結合部１１ｂの捻り部１１ｅを設ける場合は、特許第４１６８１９４号等に記載の螺旋捻り機で螺旋捻り加工を行う。この螺旋捻り加工は共通の機械で連続的に行うものであるが、作業部１１ａと結合部１１ｂのどちらを先に形成しても良い。このように、作業部１１ａの切刃及び結合部１１ｂの捻り部１１ｅの螺旋捻り加工も、加工方法が同じ螺旋捻り加工であり、共通した一台の機械を用いて行うことができる。
【００２５】
以上のように、本発明の歯科用根管治療器具１０及びその製造方法によれば、共通した一台の機械を用いて同じ加工方法で作業部１１ａと結合部１１ｂを形成できるので、把手１２との結合を十分に強固にしつつ、製造工程を簡略化することが可能となる。
【符号の説明】
【００２６】
１０              歯科用根管治療器具
１１，２１        本体部
１１ａ，２１ａ    作業部
１１ｂ            結合部
１１ｃ            括れ部
１１ｄ            螺旋溝
１１ｅ            捻り部
１２，２２        把手
２１ｂ            折曲部
２１ｃ            拡幅部
【図１】
0005529583.tif 000002
【図２】
0005529583.tif 000003
【図３】
0005529583.tif 000004
【図４】
0005529583.tif 000005
【図５】
0005529583.tif 000006